(57)【要約】【課題】マイクロフォン部品の保護し、水及び他の異物をシステムからより容易に除去することが可能なマイクロフォンエンクロージャの提供。【解決手段】マイクロフォンエンクロージャは、音声がマイクロフォン素子２１２に届く少なくとも一つの屈曲路を有する。このような構成により、ワイヤ等の物体がマイクロフォン穴を通過するのを防止する。インレット２２０の屈曲路は方向変更部を有するので、ワイヤ等の物体が穴に入り込んでワイヤ等がマイクロフォンガスケット２１０又はマイクロフォン２１２を突き刺すのを防止すると同時に、システムを空気吹き付けすることにより、インレット２２０から水又は他の異物をより容易に除去することを可能にする。一実施形態において、屈曲路は、複数の開口２１６，２１８を有する少なくとも１個のインレット２２０を具備してもよい。【選択図】図２
2004328756.tif 000002
【特許請求の範囲】
【請求項１】
音声を受信し該音声を少なくとも一つの電気信号に変換するマイクロフォンを収容するケースと、
前記音声が前記マイクロフォンに到達することを可能にする少なくとも１個のインレットとを具備し、
該少なくとも１個のインレットは、少なくとも１個の屈曲路を形成する複数の開口を有することを特徴とするマイクロフォンインクロージャ。
【請求項２】
前記少なくとも１個のインレットは、上側開口及び下側開口からなり、
該上側開口及び下側開口は、前記マイクロフォンで合流することを特徴とする請求項１記載のマイクロフォンエンクロージャ。
【請求項３】
前記ケースは、上部、中間部及び下部からなり、前記上側及び下側開口を形成することを特徴とする請求項２記載のマイクロフォンエンクロージャ。
【請求項４】
回路基板と、前記マイクロフォンから信号を受信するために前記回路基板上に配置される集積部品と、及び前記電気信号を送信するために前記集積部品と通信するアンテナとをさらに具備することを特徴とする請求項１記載のマイクロフォンエンクロージャ。
【請求項５】
前記マイクロフォン近傍にマイクロフォンガスケットをさらに具備することを特徴とする請求項１記載のマイクロフォンエンクロージャ。
【請求項６】
音声を受信し該音声を少なくとも一つの電気信号に変換するマイクロフォンを収容するケースと、
前記マイクロフォン近傍の第１開口と、
前記マイクロフォン近傍の第２開口と、
前記マイクロフォンに前記音声を作用することができるように前記第１及び第２開口の合流により形成された少なくとも１個のインレットとからなることを特徴とするマイクロフォンエンクロージャ。
【請求項７】
前記ケースは、上部、中間部及び下部からなり、前記第１及び第２開口を形成することを特徴とする請求項６記載のマイクロフォンエンクロージャ。
【請求項８】
回路基板と、前記マイクロフォンから信号を受信するために前記回路基板上に配置される集積部品と、及び前記電気信号を送信するために前記集積部品と通信するアンテナとをさらに具備することを特徴とする請求項６記載のマイクロフォンエンクロージャ。
【請求項９】
前記マイクロフォン近傍にマイクロフォンガスケットをさらに具備することを特徴とする請求項６記載のマイクロフォンエンクロージャ。
【請求項１０】
回路基板と、
携帯無線機に信号を送信すると共に該携帯無線機から信号を受信するために前記回路基板上に配置される集積部品と、
前記信号を送信するために前記集積部品と通信するアンテナと、
音声及び電気信号間に変換するために前記回路基板の前記集積部品と通信するマイクロフォンと、
前記マイクロフォン、前記集積回路及び前記回路基板を収容するケースと、
前記ケースの前記マイクロフォン近傍の第１開口と、
前記ケースの前記マイクロフォン近傍の第２開口と、
前記マイクロフォンに前記音声を作用することができるように前記第１及び第２開口の合流により形成された少なくとも１個のインレットとからなることを特徴とする携帯無線機。
【請求項１１】
前記ケースは、上部、中間部及び下部からなり、前記第１及び第２開口を形成することを特徴とする請求項１０記載の携帯無線機。
【請求項１２】
前記マイクロフォン近傍にマイクロフォンガスケットをさらに具備することを特徴とする請求項１０記載の携帯無線機。
【発明の詳細な説明】
【技術分野】
【０００１】
本発明は音声再生システムに関し、より詳細にはマイクロフォンエンクロージャに関する。
【背景技術】
【０００２】
マイクロフォンを使用する多くのシステム（例えば、携帯無線機、携帯電話等）は、雨による濡れ又は浸水等の環境的悪条件に耐えるよう設計されなければならず、このような悪条件から迅速に正常状態に戻り、許容されない動作性能低下を防止しなければならない。
【０００３】
悪条件に晒される間、溝および他の異物がインレット穴から入り、マイクロフォンに到るおそれがある。マイクロフォンの穴に水および他のタイプの異物があると、マイクロフォンの音響感度が減少する。
【０００４】
開放し保護されていないマイクロフォン穴は、マイクロフォン穴を横断して空気を通す（例えば空気吹き付けする）ことにより水を除去するのが代表的である。マイクロフォン穴が水と接触する表面領域が最小であるので、この方法が可能である。この結果、水を容易に除去できる小さな表面張力となる。しかし、開放し保護されていないマイクロフォン穴は、マイクロフォン穴に入ってマイクロフォンガスケットやマイクロフォン素子自体を突き刺すワイヤ等の物体からの保護がない。
【０００５】
この問題に対処するために、従来、ワイヤ等の物体がマイクロフォンガスケット及びマイクロフォン素子等のマイクロフォン部品を損傷することを防止するために、物体がマイクロフォン部品と接触しないようにするシステムが開発されてきた。
【０００６】
このようなシステムの一例は、図１に示される。従来のオーディオシステム（本実施形態では携帯無線機１００）は、マイクロフォン１１２等のシステム作動部品を含む外ケース１０２を有するのが代表的である。外ケースの一部分は、音声がシステム内に入ってマイクロフォンに作用することを可能にする開口すなわちインレット１０８を形成する。マイクロフォンインレットは方向変更部を有するので、物体が穴に入り込んでマイクロフォンガスケット又はマイクロフォンを突き刺すのを防止する。
【０００７】
外ケース１０２は、一体部品又は互いに嵌まる複数部品からなり、システム作動部品を収容する。例えば、外ケース１０２は、上部１０４及び下部１０６を有し、音声がシステム内に入りマイクロフォンガスケット１１０を通ってマイクロフォン素子１１２に作用することを可能にする開口１０８を形成する。
【０００８】
図１（Ｂ）に示されるように、インレット１２０は、単一開口１０８から形成される。この構成は、空気をマイクロフォン部品に容易に通すための機構を具備してない点で、明確な不利がある。この結果、ユーザは、システムを空気吹き付けすること等によっても、インレット１２０から水及び他の異物を容易に除去することができない。この結果、水及び異物は開口内に捕捉され、システムの動作を顕著に低下させる。
【特許文献１】特開２００２−９４６３０号公報
【発明の開示】
【発明が解決しようとする課題】
【０００９】
表面張力により、雨及び浸水が原因の水又は他の異物は、マイクロフォン穴内に保持される。図１に示されるシステム等のシステムは、容易に自動排水しない。また、穴を空気吹き付けすることにより穴を排水することは非常に困難である。
【００１０】
従って、マイクロフォン部品の保護し、水及び他の異物をシステムからより容易に除去することが可能なシステムに対するニーズがある。
【課題を解決するための手段】
【００１１】
本発明はマイクロフォンエンクロージャに関する。本発明の実施形態は、音声がマイクロフォン素子に届く少なくとも一つの屈曲路を有するマイクロフォンエンクロージャを有する。このような構成により、ワイヤ等の物体がマイクロフォン穴を通過するのを防止する。インレットの屈曲路は方向変更部を有するので、ワイヤ等の物体が穴に入り込んでワイヤ等がマイクロフォンガスケット又はマイクロフォンを突き刺すのを防止すると同時に、システムを空気吹き付けすることにより、インレットから水又は他の異物をより容易に除去することを可能にする。一実施形態において、屈曲路は、複数の開口を有する少なくとも１個のインレットを具備してもよい。
【発明を実施するための最良の形態】
【００１２】
本発明は、本発明の好適な実施の形態の以下の詳細な説明及び添付図面からよりよく理解される。しかし、これらの説明等は、本発明を特定の実施形態に限定するものと理解すべきでなく、説明及び理解のためにある。
【００１３】
本発明において、屈曲路マイクロフォンインレットは、ワイヤ等の物体がマイクロフォン部品と接触することを防止して物体がこれら部品を損傷するのを防止すると同時に、システムを空気吹き付けすることにより、水及び異物をインレットから容易に除去することができる。
【００１４】
図２は、本発明を組み込んだシステムの一実施形態を示す。図２（Ａ）及び（Ｂ）に示されるように、システム２００（本実施形態では携帯無線機）は、マイクロフォン２１２等のシステム作動部品を含む外ケース２０２を有する。外ケース２０２は、一体部品又は互いに嵌まる複数部品からなり、システム作動部品を収容する。
【００１５】
また、外ケース２０２は、上部２０４、中間部２１４及び下部２０６を有し、音声がシステム内に入ってマイクロフォンガスケット２１０を通ってマイクロフォン素子２１２に作用することができる開口２１６，２１８を形成する。当業者であれば、上部、中間部及び下部は単に説明を容易にするためであり、これらの用語は部品の間の特定の方向又は特定の関係を示唆するものではなく、開口２１６，２１８は単一の部品又は複数の部品から形成されてもよく、同様にそれに限定されないことは理解するであろう。
【００１６】
また、マイクロフォン素子２１２及びマイクロフォンガスケット２１０も特に限定するものではなく、当業界周知であるため本明細書ではさらに説明しない任意の部品で構成されてもよい。
【００１７】
図２（Ｂ）に示されるように、開口２１６，２１８は、マイクロフォンへの屈曲路を構成し、合流することによりインレット２２０を形成する。このように屈曲路を使用することにより、ワイヤ等の物体が、マイクロフォンガスケット２１０、マイクロフォン素子２１２、回路基板２２２及び集積部品２２４を含むマイクロフォン部品に接触してマイクロフォン部品を損傷するおそれを最小にすると同時に、システムを空気吹き付けする等により水及び他の異物をインレットから除去することができる顕著な利点を提供する。このため、音声がマイクロフォン２１２に自由に作用することができる。次に、マイクロフォン２１２は、受信された音声を電気信号により良好に変換することができる。この信号は、アンテナ２２６を介して無線送信する集積部品２２４で処理することができる。
【００１８】
本発明の特定実施形態を説明したが、当業者には種々の変形、変更及び改良が容易に思いつくであろう。本明細書の開示により明白になされるこのような変形、変更及び改良は、本明細書において明示されていないが本明細書の一部となることを意図されており、本発明の真髄及び範囲内であることを意図されている。従って、前述の説明は例示のみを目的としており、限定するものではない。本発明は、特定の例示実施形態に限定することを意図されていないが、特許請求の範囲に定義されたもの及びその等価物に限定される。
【図面の簡単な説明】
【００１９】
【図１】従来のシステムを示し、（Ａ）正面図、（Ｂ）（Ａ）のＡ−Ａ線に沿った断面図である。
【図２】本発明の一実施形態を示し、（Ａ）正面図、（Ｂ）（Ａ）のＢ−Ｂ線に沿った断面図である。
【符号の説明】
【００２０】
２０２  ケース
２０４  上部
２０６  下部
２１０  ガスケット
２１２  マイクロフォン素子
２１４  中間部
２１６，２１８  開口
２２０  インレット
２２２  回路基板
２２４  集積部品
【図１】
2004328756.tif 000003
【図２】
2004328756.tif 000004